(57)【要約】【課題】値札プリンターやその値札の商談の際に提示する印字サンプル帳票を作成するための作業効率を向上可能であるとともに、印字サンプル帳票を正確に作成可能なプリンターにおける印字サンプル帳票作成方法を提供すること。【解決手段】値札プリンターで印字する値札を卓上プリンターにより印字サンプルとして帳票上に印字出力可能とするように、さらに、データ入力画面と値札の各印字項目の印字データを入力するデータ入力画面の画面仕様データとを一枚の印字サンプル帳票に一緒に印字可能とするように画面編集することに着目したもので、印字サンプルと、各印字項目のフォーマット仕様データと、を第１の印字サンプル帳票上に一緒に印字するように、画面編集を行なうことを特徴とする。【選択図】図２
2008290431.tif 000002
【特許請求の範囲】
【請求項１】
値札に印字する印字データにおける各印字項目のサンプルデータを入力する入力部と、
この入力部により入力されるこれらのサンプルデータを表示する表示部と、を有するプリンターにおける印字サンプル帳票作成方法であって、
前記入力部は、前記各印字項目のフォーマット仕様データおよびフォーマット位置データにもとづき前記印字データを印字サンプルとして出力するために、前記サンプルデータ、ならびに前記フォーマット仕様データおよび前記フォーマット位置データを入力可能とし、
前記表示部は、前記入力部による前記サンプルデータ、前記フォーマット仕様データおよび前記フォーマット位置データの入力操作のために表示するデータ入力画面を備えるとともに、
前記フォーマット仕様データおよび前記フォーマット位置データにもとづき前記印字データを前記印字サンプルとして印字可能とし、かつ、
前記印字サンプルと、前記各印字項目の前記フォーマット仕様データと、を第１の印字サンプル帳票上に一緒に印字するように、画面編集を行なうことを特徴とするプリンターにおける印字サンプル帳票作成方法。
【請求項２】
値札に印字する印字データにおける各印字項目のサンプルデータを入力する入力部と、
この入力部により入力されるこれらのサンプルデータを表示する表示部と、を有するプリンターにおける印字サンプル帳票作成方法であって、
前記入力部は、前記各印字項目のフォーマット仕様データおよびフォーマット位置データにもとづき前記印字データを印字サンプルとして出力するために、前記サンプルデータ、ならびに前記フォーマット仕様データおよび前記フォーマット位置データを入力可能とし、
前記表示部は、前記入力部による前記サンプルデータ、前記フォーマット仕様データおよび前記フォーマット位置データの入力操作のために表示するデータ入力画面を備えるとともに、
前記フォーマット仕様データおよび前記フォーマット位置データにもとづき前記印字データを前記印字サンプルとして印字可能とし、かつ、
前記印字サンプルと、前記各印字項目の前記フォーマット位置データと、を第２の印字サンプル帳票上に一緒に印字するように、画面編集を行なうことを特徴とするプリンターにおける印字サンプル帳票作成方法。
【請求項３】
値札に印字する印字データにおける各印字項目のサンプルデータを入力する入力部と、
この入力部により入力されるこれらのサンプルデータを表示する表示部と、を有するプリンターにおける印字サンプル帳票作成方法であって、
前記入力部は、前記各印字項目のフォーマット仕様データおよびフォーマット位置データにもとづき前記印字データを印字サンプルとして出力するために、前記サンプルデータ、ならびに前記フォーマット仕様データおよび前記フォーマット位置データを入力可能とし、
前記表示部は、前記入力部による前記サンプルデータ、前記フォーマット仕様データおよび前記フォーマット位置データの入力操作のために表示するデータ入力画面を備えるとともに、
前記フォーマット仕様データおよび前記フォーマット位置データにもとづき前記印字データを前記印字サンプルとして印字可能とし、
前記データ入力画面を印字可能とし、かつ、
前記データ入力画面と、前記データ入力画面における前記各印字項目に対応する各データ入力窓に関する画面仕様データと、を第３の印字サンプル帳票上に一緒に印字するように、画面編集を行なうことを特徴とするプリンターにおける印字サンプル帳票作成方法。
【請求項４】
前記各印字項目の前記フォーマット仕様データは、前記各印字項目に応じて前記第１の印字サンプル帳票における第１の図表にこれを第１の図表データとして印字することを特徴とする請求項１記載のプリンターにおける印字サンプル帳票作成方法。
【請求項５】
前記各印字項目の前記フォーマット位置データは、前記各印字項目に応じて前記第２の印字サンプル帳票における第２の図表にこれを第２の図表データとして印字することを特徴とする請求項２記載のプリンターにおける印字サンプル帳票作成方法。
【請求項６】
前記データ入力画面の画面仕様データは、前記データ入力画面の前記各データ入力窓に応じて前記第３の印字サンプル帳票における第３の図表にこれを第３の図表データとして印字することを特徴とする請求項３記載のプリンターにおける印字サンプル帳票作成方法。
【請求項７】
前記第３の印字サンプル帳票上に印字した前記データ入力画面における前記各データ入力窓には、前記画面仕様データにおける前記各データ入力窓に対応する符号をそれぞれ付してあることを特徴とする請求項３記載のプリンターにおける印字サンプル帳票作成方法。
【請求項８】
前記フォーマット仕様データ、前記フォーマット位置データおよび前記画面仕様データは、これを単一の値札作成ファイルに集約して保存可能としてあることを特徴とする請求項３記載のプリンターにおける印字サンプル帳票作成方法。
【請求項９】
前記値札作成ファイルは、前記値札の少なくともそのサイズに関するデータを含む用紙データを保存可能であることを特徴とする請求項８記載のプリンターにおける印字サンプル帳票作成方法。
【請求項１０】
前記値札作成ファイルは、これをコピー可能とするとともに、
前記値札に前記印字データを印字可能な値札プリンターにこれを保存可能とすることを特徴とする請求項８記載のプリンターにおける印字サンプル帳票作成方法。
【請求項１１】
前記フォーマット仕様データにもとづき、前記第１の図表における前記各印字項目に関する前記第１の図表データをデータ編集することを特徴とする請求項１記載のプリンターにおける印字サンプル帳票作成方法。
【請求項１２】
前記フォーマット位置データにもとづき、前記第２の図表における前記各印字項目に関する前記第２の図表データをデータ編集することを特徴とする請求項２記載のプリンターにおける印字サンプル帳票作成方法。
【請求項１３】
前記画面仕様データにもとづき、前記第３の図表における前記各データ入力窓に関する前記第３の図表データをデータ編集することを特徴とする請求項３記載のプリンターにおける印字サンプル帳票作成方法。
【発明の詳細な説明】
【技術分野】
【０００１】
本発明はプリンターにおける印字サンプル帳票作成方法にかかるもので、とくに値札プリンターにより印字する値札の印字サンプルを表示可能な印字サンプル帳票を作成するためのプリンターにおける印字サンプル帳票作成方法に関するものである。
【背景技術】
【０００２】
従来から、ラベルやタグなどの用紙に、数字あるいは文字コードや機械コード（バーコード、二次元コード）、単語や文章などを印字して値札を作成するためには、各種のデータを値札プリンターに直接入力する方式、あるいはパソコンなどのホスト装置を用いて必要な各種のデータを作成しこれを値札プリンターに転送する方式などがある。
従来の値札プリンター１について図８ないし図１４にもとづき概説する。
図８は、値札プリンター１の概略ブロック図であって、値札プリンター１は、ラベルやタグなどの用紙（値札）に所定の商品情報を印字データとして印字するもので、制御部としてのＣＰＵ２と、ＲＯＭ３と、ＲＡＭ４と、入力部５と、表示部６と、印字部７と、必要ならばパソコンないしはホストコンピューターなど外部の機器とのデータ交信を可能とするインターフェース８と、これらを接続するデータバス９と、を有する。
【０００３】
ＣＰＵ２は、ＲＯＭ３に保存してあるプログラムにしたがって、所定の制御操作を行なう。
入力部５は、上記印字データにおける各印字項目のデータを入力するもので、キーボード、タッチパネルその他任意の構成を採用する。
表示部６は、入力部５による印字データの入力操作のために任意の方式によるディスプレイすなわちデータ入力画面１０を有する。
印字部７は、熱転写方式や感熱発色方式その他任意の方式により、ラベルやタグなどに印字データを印字出力して値札１１として発行する。
【０００４】
図９は、この値札プリンター１により印字した値札１１の一例を示す平面図であって、この値札１１上に印字する印字データにおける各印字項目を所定のフォーマット仕様（基本仕様）の設定データ（フォーマット仕様データ）およびフォーマット位置（印字位置）の設定データ（フォーマット位置データ）にもとづいて印字している。
フォーマット仕様とは、値札１１上にどのような印字項目（名称、内容、寸法）をどのようなレイアウトでどのように印字するかの様式、ないしは印字する各種文字などの属性情報であって、たとえば文字やバーコードの種類、桁数、字間、大きさなどのことである。
たとえば図示の例では、フォーマット仕様として、値札１１の発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などを、それぞれのフォーマット位置にもとづき図示のようなレイアウトで印字するものである。
フォーマット仕様データは、値札１１に印字する印字データのうち、各印字項目に関するフォーマット仕様を値札１１（データ入力画面１０）に完成させるための具体的なデータであって、入力部５によりこれを入力可能とする。
フォーマット位置とは、それぞれの印字項目の値札１１（データ入力画面１０）上におけるより具体的なレイアウト情報つまり印字位置（とくにその開始位置）のことであり、たとえば、値札１１の左上端隅部をゼロ点として、その印字項目の印字開始位置をいう。
フォーマット位置データは、それぞれの印字項目の値札１１上における印字位置（とくにその開始位置）に関する具体的な縦何ｍｍ、横何ｍｍというデータであって、入力部５によりこれを入力可能とする。
【０００５】
従来から、このような値札プリンター１および値札１１に関する商談ないしは販売にあたって、印字データにおける各印字項目についての名称や内容および寸法その他のフォーマット仕様（フォーマット仕様データ）およびフォーマット位置（フォーマット位置データ）などを図表などによって詳細に記載した帳票（一般的には最小でもＡ４サイズの帳票）を提示するとともに、実際の値札イメージを確認してもらうために値札１１を実際に印字し、確認用サンプルとして、この帳票に資料として貼り付けるなどして添えていた。
さらに、上述したように値札１１の確認用サンプルを示してユーザーに提示して値札イメージを確認してもらうとともに、各印字項目のうちとくにユーザーが実際の使用にあたって入力する必要がある印字データ（印字項目）については、これらの印字データをユーザーがどのように入力するのかのデータ入力画面１０に関する具体的な画面の情報（画面仕様データ）を帳票（一般的には最小でもＡ４サイズの帳票）に表示した上で明示する必要がある。
画面仕様データは、フォーマット仕様およびフォーマット位置に関する情報、さらには、各印字項目を値札１１の使用者がどのように入力するのかのデータ入力画面１０におけるデータ入力窓の位置や形式などの具体的なデータであって、表示部６に値札１１を表示するために必要なデータである。画面仕様データは、入力部５によりこれを作成可能とする。
【０００６】
従来は、上記フォーマット仕様およびフォーマット位置さらにはデータ入力画面１０などの詳細情報（フォーマット仕様データ、フォーマット位置および画面仕様データ）を記載した帳票を、値札プリンター１とは別の通常の卓上プリンター２１（図１０において後述）により印字することになるが、その印字および作成作業が面倒であるとともに、正確性に欠けるという問題がある。
なお、値札プリンター１ないし値札１１を使用する顧客（一般的には小売り店などのユーザー）がすべてのフォーマット仕様およびフォーマット位置を最初から入力するのではなく、値札プリンター１販売の際のサービスとして（あるいはユーザーの要望に応じて）、ユーザーが実際に使用する値札１１に応じたフォーマット仕様およびフォーマット位置の情報（フォーマット仕様データおよびフォーマット位置データ）を値札プリンター１にあらかじめ入力しておくことが行なわれているが、ユーザーはこれらの情報をデータ入力画面１０において見ることができるのみで、詳細な確認ないし検討には、印字出力された用紙による帳票が望ましいものである。
【０００７】
図１０は、従来の上記卓上プリンター２１の概略ブロック図であって、卓上プリンター２１は、一般の事務用紙たとえばＡ４サイズの用紙に所定情報を印字するためのもので、値札プリンター１と同様に、制御部としてのＣＰＵ２２と、ＲＯＭ２３と、ＲＡＭ２４と、入力部２５と、表示部２６と、印字部２７と、必要ならばパソコンないしはホストコンピューターなど外部の機器とのデータ交信を可能とするインターフェース２８と、これらを接続するデータバス２９と、を有する。
【０００８】
ＣＰＵ２２は、ＲＯＭ２３に保存してあるプログラムにしたがって、所定の制御操作を行なう。
入力部２５は、キーボード、タッチパネルその他任意の構成を採用し、印字データにおける各印字項目のデータを入力する。すなわち入力部２５は、印字データにおける各印字項目のサンプルデータ、ならびにフォーマット仕様データおよびフォーマット位置データを入力可能とする。
なお、印字データのフォーマット仕様データおよびフォーマット位置データは、これを前記値札プリンター１にコピー可能として、値札プリンター１のユーザーが利用可能とする。
表示部２６は、入力部２５によるサンプルデータ、フォーマット仕様データおよびフォーマット位置データなどの入力操作のために任意の方式によるディスプレイすなわちデータ入力画面３０（値札プリンター１のデータ入力画面１０と事実上同一の画面）を有する。
印字部２７は、レーザープリント方式やインキジェット方式その他任意の方式によりＡ４サイズなどの用紙に印字データを印字し、印字サンプル帳票原紙（第１の印字サンプル帳票原紙３１（図１１）、第２の印字サンプル帳票原紙３２（図１２）、第３の印字サンプル帳票原紙３３（図１４））を発行するとともに、データ入力画面３０（図１３）を印字可能である。
【０００９】
図１１は、卓上プリンター２１により「フォーマット仕様書」として印字した第１の印字サンプル帳票原紙３１の一例を示す平面図であって、この第１の印字サンプル帳票原紙３１は、値札１１上に印字する印字データにおける各印字項目についてのフォーマット仕様の情報を第１の図表３１Ａ中に第１の図表データとして印字している。
たとえば、図示の例では、図９に示した値札１１の発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などについて、それぞれの具体的な名称、データおよび内容に関するフォーマット仕様データを第１の図表データとして印字するものである。もちろん、図示の例以外の内容について任意の項目およびそのデータを表示し、印字可能である。
従来は、値札プリンター１により印字サンプルとして値札１１を印字しておき、この値札１１を第１の印字サンプル帳票原紙３１に貼り付けて（図１１中、仮想線）、関連する第１の図表データを有する第１の図表３１Ａとともに表示可能な第１の印字サンプル帳票３１Ｂとしている。
【００１０】
図１２は、卓上プリンター２１により「フォーマット位置書」として印字した第２の印字サンプル帳票原紙３２の一例を示す平面図であって、この第２の印字サンプル帳票原紙３２は、値札１１上に印字する印字データにおける各印字項目についてのフォーマット位置の情報を第２の図表３２Ａ中に第２の図表データとして印字している。
たとえば、上記第１の印字サンプル帳票原紙３１に合わせて、図示の例では、図９に示した値札１１の発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などについて、それぞれの具体的な印字位置（印字開始位置）のデータおよび内容に関するフォーマット位置データを第２の図表データとして印字するものである。もちろん、図示の例以外の内容について任意の項目およびそのデータを表示し、印字可能である。
従来は、値札プリンター１により印字サンプルとして値札１１を印字しておき、この値札１１を第２の印字サンプル帳票原紙３２に貼り付けて（図１２中、仮想線）、関連する第２の図表データを有する第２の図表３２Ａとともに表示可能な第２の印字サンプル帳票３２Ｂとしている。
【００１１】
図１３は、表示部２６におけるデータ入力画面３０の一例を示す説明図であって、図９に示した値札１１における発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などの各印字項目を表示するとともに、各印字項目に対応したデータ入力窓３４を表示して、具体的な印字データを入力可能としている。
また、データ入力画面３０には、発行ボタン３５、プレビューボタン３６および終了ボタン３７を備えている。
発行ボタン３５は、印字データを入力して、値札１１を発行する際に使用する。なお、卓上プリンター２１の値札発行プログラムを値札プリンター１にコピーしてユーザーが利用可能とする。
プレビューボタン３６は、印字データを入力して値札１１がどのようなイメージで発行可能かをあらかじめ画面上で確認するためのものである。
終了ボタン３７は、このデータ入力画面３０における操作を終了する際に用いる。
なお、図示しないキーないしボタンにより、このデータ入力画面３０自体を印字可能である。
【００１２】
図１４は、卓上プリンター２１により「画面仕様書」として印字した第３の印字サンプル帳票原紙３３の一例を示す平面図であって、この第３の印字サンプル帳票原紙３３は、値札１１上に印字する印字データを入力するデータ入力画面３０における各印字項目に対応する各データ入力窓３４に関する画面仕様データの情報を第３の図表３３Ａ中に第３の図表データとして印字している。
たとえば、上記第１の印字サンプル帳票原紙３１および上記第２の印字サンプル帳票原紙３２に合わせて、図示の例では、図９に示した値札１１の発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などについて、それぞれの具体的な画面のデータおよびデータ入力窓３４に関する画面仕様データを第３の図表データとして印字するものである。もちろん、図示の例以外の内容について任意の項目およびそのデータを表示し、印字可能である。
従来は、印字したデータ入力画面３０（図１３）を第３の印字サンプル帳票原紙３３に貼り付け（図１４中、仮想線）、関連する第３の図表データを有する第３の図表３３Ａとともに表示可能な第３の印字サンプル帳票３３Ｂとしている。
なお、画面仕様データは、印字データのフォーマット仕様データおよびフォーマット位置データと同様に、これを前記値札プリンター１にコピー可能として、値札プリンター１のユーザーがデータ入力時に表示部６（データ入力画面１０）を見て値札１１の発行操作可能とする。
【００１３】
しかしながら、上述のような第１の印字サンプル帳票３１Ｂ、第２の印字サンプル帳票３２Ｂおよび第３の印字サンプル帳票３３Ｂなどの帳票作成作業は、値札プリンター１による値札１１の印字発行という作業と、卓上プリンター２１による第１の印字サンプル帳票原紙３１、第２の印字サンプル帳票原紙３２および第３の印字サンプル帳票原紙３３、ならびにデータ入力画面３０の印字発行という作業と、さらに、これら発行した値札１１や帳票原紙３１、３２、３３を一体に貼り付ける作業と、をともなうもので、その作業が煩雑でその効率が非常に低いという問題がある。
【００１４】
さらに、値札１１自体は比較的小さな寸法を有しており、わずかな寸法や位置の違いが値札プリンター１により印字する際に大きく影響するため正確性が求められるにもかかわらず、従来の手法では、各種データの入力時のミスを避け難く正確性に劣るという問題がある。
すなわち、たとえば、図９に示した値札１１について、所定のプログラムにしたがってフォーマット仕様データを入力することにより、そのフォーマット仕様を作成することになるが、図１１に示したフォーマット仕様書（第１の印字サンプル帳票原紙３１）における第１の図表３１Ａ、および図１２に示したフォーマット位置書（第２の印字サンプル帳票原紙３２）における第２の図表３２Ａを作成する際にも同じフォーマット仕様データおよびフォーマット位置データを入力する必要があり、同じデータを二度入力する必要があって二度手間であるために、作業が面倒であることはもちろん、データ入力ミスの可能性を否定できず、正確性に欠けるという問題がある。
さらに、図１３に示したデータ入力画面３０について、所定のプログラムにしたがって画面仕様データを入力することにより、その画面を作成することになるが、図１４に示した画面仕様書（第３の印字サンプル帳票原紙３３）における第３の図表３３Ａを作成する際にも同じ画面仕様データを入力する必要があり、上述のフォーマット仕様およびフォーマット位置の場合と同様に、同じデータを二度入力する必要があって二度手間であるために、作業が面倒であることはもちろん、データ入力ミスの可能性を否定できず、正確性に欠けるという問題がある。
【００１５】
【特許文献１】特開２００６−２４０２１号公報
【発明の開示】
【発明が解決しようとする課題】
【００１６】
本発明は以上のような諸問題にかんがみなされたもので、値札プリンターやその値札の商談の際に提示する印字サンプル帳票を作成するための作業効率を向上可能なプリンターにおける印字サンプル帳票作成方法を提供することを課題とする。
【００１７】
また本発明は、印字サンプル帳票を正確に作成可能なプリンターにおける印字サンプル帳票作成方法を提供することを課題とする。
【００１８】
また本発明は、値札ないし印字サンプルと印字サンプル帳票（印字サンプル帳票原紙）との間、およびデータ入力画面と第３の印字サンプル帳票原紙（画面仕様書）との間でのデータ入力ミスを防止可能としたプリンターにおける印字サンプル帳票作成方法を提供することを課題とする。
【課題を解決するための手段】
【００１９】
すなわち本発明は、値札プリンターで印字する値札を卓上プリンターにより印字サンプルとして帳票上に印字出力可能とするように、さらに、データ入力画面と値札の各印字項目の印字データを入力するデータ入力画面の画面仕様データとを一枚の印字サンプル帳票に一緒に印字可能とするように画面編集することに着目したもので、第一の発明は、値札に印字する印字データにおける各印字項目のサンプルデータを入力する入力部と、この入力部により入力されるこれらのサンプルデータを表示する表示部と、を有するプリンターにおける印字サンプル帳票作成方法であって、上記入力部は、上記各印字項目のフォーマット仕様データおよびフォーマット位置データにもとづき上記印字データを印字サンプルとして出力するために、上記サンプルデータ、ならびに上記フォーマット仕様データおよび上記フォーマット位置データを入力可能とし、上記表示部は、上記入力部による上記サンプルデータ、上記フォーマット仕様データおよび上記フォーマット位置データの入力操作のために表示するデータ入力画面を備えるとともに、上記フォーマット仕様データおよび上記フォーマット位置データにもとづき上記印字データを上記印字サンプルとして印字可能とし、かつ、上記印字サンプルと、上記各印字項目の上記フォーマット仕様データと、を第１の印字サンプル帳票上に一緒に印字するように、画面編集を行なうことを特徴とするプリンターにおける印字サンプル帳票作成方法である。
【００２０】
第二の発明は、値札に印字する印字データにおける各印字項目のサンプルデータを入力する入力部と、この入力部により入力されるこれらのサンプルデータを表示する表示部と、を有するプリンターにおける印字サンプル帳票作成方法であって、上記入力部は、上記各印字項目のフォーマット仕様データおよびフォーマット位置データにもとづき上記印字データを印字サンプルとして出力するために、上記サンプルデータ、ならびに上記フォーマット仕様データおよび上記フォーマット位置データを入力可能とし、上記表示部は、上記入力部による上記サンプルデータ、上記フォーマット仕様データおよび上記フォーマット位置データの入力操作のために表示するデータ入力画面を備えるとともに、上記フォーマット仕様データおよび上記フォーマット位置データにもとづき上記印字データを上記印字サンプルとして印字可能とし、かつ、上記印字サンプルと、上記各印字項目の上記フォーマット位置データと、を第２の印字サンプル帳票上に一緒に印字するように、画面編集を行なうことを特徴とするプリンターにおける印字サンプル帳票作成方法である。
【００２１】
第三の発明は、値札に印字する印字データにおける各印字項目のサンプルデータを入力する入力部と、この入力部により入力されるこれらのサンプルデータを表示する表示部と、を有するプリンターにおける印字サンプル帳票作成方法であって、上記入力部は、上記各印字項目のフォーマット仕様データおよびフォーマット位置データにもとづき上記印字データを印字サンプルとして出力するために、上記サンプルデータ、ならびに上記フォーマット仕様データおよび上記フォーマット位置データを入力可能とし、上記表示部は、上記入力部による上記サンプルデータ、上記フォーマット仕様データおよび上記フォーマット位置データの入力操作のために表示するデータ入力画面を備えるとともに、上記フォーマット仕様データおよび上記フォーマット位置データにもとづき上記印字データを上記印字サンプルとして印字可能とし、上記データ入力画面を印字可能とし、かつ、上記データ入力画面と、上記データ入力画面における上記各印字項目に対応する各データ入力窓に関する画面仕様データと、を第３の印字サンプル帳票上に一緒に印字するように、画面編集を行なうことを特徴とするプリンターにおける印字サンプル帳票作成方法である。
【００２２】
上記各印字項目の上記フォーマット仕様データは、上記各印字項目に応じて上記第１の印字サンプル帳票における第１の図表にこれを第１の図表データとして印字することができる。
【００２３】
上記各印字項目の上記フォーマット位置データは、上記各印字項目に応じて上記第２の印字サンプル帳票における第２の図表にこれを第２の図表データとして印字することができる。
【００２４】
上記データ入力画面の画面仕様データは、上記データ入力画面の上記各データ入力窓に応じて上記第３の印字サンプル帳票における第３の図表にこれを第３の図表データとして印字することができる。
【００２５】
上記第３の印字サンプル帳票上に印字した上記データ入力画面における上記各データ入力窓には、上記画面仕様データにおける上記各データ入力窓に対応する符号をそれぞれ付してあることができる。
【００２６】
上記フォーマット仕様データ、上記フォーマット位置データおよび上記画面仕様データは、これを単一の値札作成ファイルに集約して保存可能としてあることができる。
【００２７】
上記値札作成ファイルは、上記値札の少なくともそのサイズに関するデータを含む用紙データを保存可能とすることができる。
【００２８】
上記値札作成ファイルは、これをコピー可能とするとともに、上記値札に上記印字データを印字可能な値札プリンターにこれを保存可能とすることができる。
【００２９】
上記フォーマット仕様データにもとづき、上記第１の図表における上記各印字項目に関する上記第１の図表データをデータ編集することができる。
【００３０】
上記フォーマット位置データにもとづき、上記第２の図表における上記各印字項目に関する上記第２の図表データをデータ編集することができる。
【００３１】
上記画面仕様データにもとづき、上記第３の図表における上記各データ入力窓に関する上記第３の図表データをデータ編集することができる。
【発明の効果】
【００３２】
本発明によるプリンターにおける印字サンプル帳票作成方法においては、値札プリンターで印字する値札を卓上プリンターにより印字サンプルとして帳票上に印字出力可能とするように、さらに、データ入力画面と値札の各印字項目の印字データを入力するデータ入力画面の画面仕様データとを一枚の印字サンプル帳票に一緒に印字可能とするように画面編集するので、印字サンプルおよびデータ入力画面をそれぞれの必要データとともにそれぞれ一枚の帳票に提示可能であり、また、データ入力作業を一度に限定可能であって、たとえば従来の数分の一の手間でそれぞれの帳票を作成可能とし、作業効率を向上することができるとともに、データ入力の正確性も確保することができる。
【００３３】
とくに第一の発明によれば、値札に相当する印字サンプルと各印字項目のフォーマット仕様データとを第１の印字サンプル帳票上に一緒に印字するように画面編集を行なうこととしたので、フォーマット仕様書を容易に作成可能である。
【００３４】
とくに第二の発明によれば、印字サンプルと各印字項目のフォーマット位置データとを第２の印字サンプル帳票上に一緒に印字するように画面編集を行なうこととしたので、フォーマット位置書を容易に作成可能である。
【００３５】
とくに第三の発明によれば、データ入力画面とデータ入力画面における各印字項目に対応する各データ入力窓に関する画面仕様データとを第３の印字サンプル帳票上に一緒に印字するように画面編集を行なうこととしたので、図面仕様書を容易に作成可能である。なお、この図面仕様書は、値札プリンターにおけるデータ入力画面の取扱い説明書として有用である。
【発明を実施するための最良の形態】
【００３６】
本発明は、値札プリンターで印字する値札およびデータ入力に使用するデータ入力画面、ならびにこれらに関連するフォーマット仕様データ、フォーマット位置データおよび画面使用データを卓上プリンターにより一緒に印字するように画面編集するので、作業性および正確性ともに良好なプリンターにおける印字サンプル帳票作成方法を実現した。
【実施例】
【００３７】
つぎに本発明の実施例によるプリンターにおける印字サンプル帳票作成方法を図１ないし図７にもとづき説明する。ただし、図８ないし図１４と同様の部分には同一符号を付し、その詳述はこれを省略する。
図１は、印字サンプル帳票作成方法を実行するための卓上プリンター４０の概略説明図であって、卓上プリンター４０は、図１０における卓上プリンター２１と同様に、前述した制御部としてのＣＰＵ２２、ＲＯＭ２３、ＲＡＭ２４、入力部２５、この入力部２５による印字データの入力操作のために表示するデータ入力画面３０を有する表示部２６、印字部２７、必要ならばパソコンないしはホストコンピューターなど外部の機器とのデータ交信を可能とするインターフェース２８、および、これらを接続するデータバス２９を有するとともに、記憶部４１を有する。
【００３８】
記憶部４１は、ＦＤ、ＨＤ、ＣＤ、ＤＶＤ、ＩＣチップ、その他任意の形態を有するデータおよびファイル記憶部であって、たとえば、値札作成ファイル４２を記憶可能としている。
【００３９】
値札作成ファイル４２は、フォーマット仕様データ、フォーマット位置データおよび画面仕様データとともに、データ編集プログラムおよび画面編集プログラムをこれに集約して保存可能としてあるもので、後述するように、卓上プリンター４０で作成したのちこれをコピー可能として、前記値札プリンター１（図８）に保存可能とする。
なお、この値札作成ファイル４２には、前記値札１１の少なくともそのサイズに関するデータを含む用紙データを保存可能である。用紙データとしては、用紙のサイズに関するデータ以外に、あらかじめ印刷する網掛け印刷の有無や位置、用紙の隅部における丸め形状の有無、さらには、用紙がタグなどの場合における糸通し孔の有無や位置、切取りミシン目の有無や位置などの諸条件を含むことができる。
【００４０】
フォーマット仕様データ、フォーマット位置データおよび画面仕様データは、入力部２５によりこれを作成可能とする。
すなわち、入力部２５は、フォーマット仕様データおよびフォーマット位置データさらに画面仕様データを入力可能であって、フォーマット仕様データおよびフォーマット位置データにもとづきこの印字データを印字サンプル４３（図３）として出力するために、印字データにおける各印字項目のサンプルデータを入力可能とする。
【００４１】
データ編集プログラムは、フォーマット仕様を作成する際に入力部２５により入力されたフォーマット仕様データにもとづき、第１の図表３１Ａ（図１１）における各印字項目に関する第１の図表データをデータ編集し、同じく、フォーマット位置を作成する際に入力部２５により入力されたフォーマット位置データにもとづき、第２の図表３２Ａ（図１２）における各印字項目に関する第２の図表データをデータ編集し、さらに、データ入力画面３０を作成する際に入力部２５により入力された画面仕様データにもとづき、第３の図表３３Ａ（図１４）における各データ入力窓３４に関する第３の図表データをデータ編集する。
画面編集プログラムは、印字サンプル４３と、各印字項目のフォーマット仕様データと、を第１の印字サンプル帳票５１（図３）上に一緒に印字するように、同じく、印字サンプル４３と、各印字項目のフォーマット位置データと、を第２の印字サンプル帳票５２（図５）上に一緒に印字するように、さらにデータ入力画面３０と、データ入力画面３０における各印字項目に対応する各データ入力窓３４に関する画面仕様データと、を第３の印字サンプル帳票（図７）上に一緒に印字するように、画面編集を行なう。
【００４２】
卓上プリンター４０においては、フォーマット仕様データおよびフォーマット位置データにもとづき印字データを印字サンプル４３として印字可能とするとともに、データ入力画面３０を印字可能としている。
【００４３】
さらに、卓上プリンター４０においては、印字サンプル４３と、印字サンプル４３のフォーマット仕様データと、を第１の印字サンプル帳票５１（図３）上に一緒に印字するように画面編集する。
図２は、フォーマット仕様に関して第１の印字サンプル帳票５１を作成する手順を示すフローチャート図であって、ステップＳ１において、表示部２６のメニュー画面（図示せず）における任意の形式の選択ボタン（図示せず）を押すことにより値札作成ファイル４２を立ち上げ、ステップＳ２で第１の印字サンプル帳票５１作成用の作成キーを押す。
この作成キーの構成ないし方式は任意であって、たとえば、データ入力画面３０における前記プレビューボタン３６（図１３）を押し、さらに、入力部２５におけるキーボードのたとえばＦ１１キーを押すことにより、値札作成ファイル４２におけるデータ編集プログラムおよび画面編集プログラムによる第１の印字サンプル帳票５１の作成手順を開始させることができる。
この作成手順が開始されると、ＣＰＵ２２は、記憶部４１のフォーマット仕様データにアクセスし（ステップＳ３）、フォーマット仕様データにもとづき、また、データ編集プログラムにしたがって、第１の図表３１Ａにおける各印字項目に関する第１の図表データをデータ編集する（ステップＳ４）。
【００４４】
図３は、第１の印字サンプル帳票５１の説明図であり、第１の印字サンプル帳票５１は、印字サンプル４３と、第１の図表３１Ａと、を同一用紙上に印字して表示している。すなわち、印字サンプル４３のフォーマット仕様データは、各印字項目に応じて第１の印字サンプル帳票５１における第１の図表３１Ａにこれを第１の図表データとして印字している。
印字サンプル４３は、前記値札１１に相当する印字表示内容であって、従来のように（図１１参照）、値札１１を第１の印字サンプル帳票５１に貼り付ける必要がないようにすることができる。
すなわち、ステップＳ５において、印字サンプル４３とフォーマット仕様データとを一緒に印字するように画面編集する。
ステップＳ６において、印字部２７により、第１の印字サンプル帳票５１を印字する。
【００４５】
また本発明においては、印字サンプル４３と、印字サンプル４３のフォーマット位置データと、を第２の印字サンプル帳票５２（図５）上に一緒に印字するように画面編集する。
図４は、フォーマット位置に関して第２の印字サンプル帳票５２を作成する手順を示すフローチャート図であって、ステップＳ１１において、フォーマット仕様に関して第１の印字サンプル帳票５１を作成する場合と同様に、メニュー画面における任意の形式の上記選択ボタンを押すことにより値札作成ファイル４２を立ち上げ、ステップＳ１２で第２の印字サンプル帳票５２作成用の作成キーを押す。
第１の印字サンプル帳票５１（図２、図３）の場合と同様に、この作成キーの構成ないし方式は任意であって、たとえば、データ入力画面３０における前記プレビューボタン３６（図１３）を押し、さらに、入力部２５におけるキーボードのたとえばＦ１２キーを押すことにより、値札作成ファイル４２におけるデータ編集プログラムおよび画面編集プログラムによる第２の印字サンプル帳票５２の作成手順を開始させることができる。
この作成手順が開始されると、ＣＰＵ２２は、記憶部４１のフォーマット位置データにアクセスし（ステップＳ１３）、フォーマット位置データにもとづき、また、データ編集プログラムにしたがって、第２の図表３２Ａにおける各印字項目に関する第２の図表データをデータ編集する（ステップＳ１４）。
【００４６】
図５は、第２の印字サンプル帳票５２の説明図であり、第２の印字サンプル帳票５２は、印字サンプル４３と、第２の図表３２Ａと、を同一用紙上に印字して表示している。すなわち、印字サンプル４３のフォーマット位置データは、各印字項目に応じて第２の印字サンプル帳票５２における第２の図表３２Ａにこれを第２の図表データとして印字している。
印字サンプル４３は、前記値札１１に相当する印字表示内容であって、従来のように（図１２参照）、値札１１を第２の印字サンプル帳票５２に貼り付ける必要がないようにすることができる。
すなわち、ステップＳ１５において、印字サンプル４３とフォーマット位置データとを一緒に印字するように画面編集する。
ステップＳ１６において、印字部２７により、第２の印字サンプル帳票５２を印字する。
【００４７】
さらに本発明においては、データ入力画面３０と、データ入力画面３０における各印字項目に対応する各データ入力窓３４に関する画面仕様データと、を第３の印字サンプル帳票３３（図７）上に一緒に印字するように画面編集する。
図６は、データ入力画面３０に関して第３の印字サンプル帳票５３を作成する手順を示すフローチャート図であって、ステップＳ２１において、上述のフォーマット仕様（図２）およびフォーマット位置（図４）の場合と同様に、上記選択キーを押すことにより値札作成ファイル４２を立ち上げ、ステップＳ２２で第３の印字サンプル帳票作成の作成キーを押す。
第１の印字サンプル帳票５１（図２、図３）および第２の印字サンプル帳票５２（図４、図５）の場合と同様に、この作成キーの構成ないし方式は任意であって、たとえば、データ入力画面３０において入力部２５におけるキーボードのたとえばＦ１２キーを押すことにより、値札作成ファイル４２におけるデータ編集プログラムおよび画面編集プログラムによる第３の印字サンプル帳票５３の作成手順を開始させることができる。
この作成手順が開始されると、ＣＰＵ２２は、記憶部４１の画面仕様データにアクセスし（ステップＳ２３）、画面仕様データにもとづき、また、データ編集プログラムにしたがって、第３の図表３３Ａにおける各印字項目に関する第３の図表データをデータ編集する（ステップＳ２４）。
【００４８】
図７は、第３の印字サンプル帳票５３の説明図であり、第３の印字サンプル帳票５３は、データ入力画面３０と、第３の図表３３Ａと、を同一用紙上に印字して表示している。すなわち、データ入力画面３０の画面仕様データは、データ入力画面３０の各データ入力窓３４に応じて第３の印字サンプル帳票５３における第３の図表３３Ａにこれを第３の図表データとして印字している。
データ入力画面３０は、図１３に示した画面の印字表示内容であって、従来のように（図１４参照）、データ入力画面３０を別途印字出力して第３の印字サンプル帳票５３に貼り付ける必要がないようにすることができる。
すなわち、ステップＳ２５において、データ入力画面３０と画面仕様データとを一緒に印字するように画面編集する。
ステップＳ２６において、印字部２７により、第３の印字サンプル帳票５３を印字する。
なお、図７に示すように、第３の印字サンプル帳票５３上に印字したデータ入力画面３０における各データ入力窓３４には、画面仕様データにおける値札１１の発行月１１Ａ、売場コード１１Ｂ、売価１１Ｃ、取引先コード１１Ｄ、取引先品番１１Ｅ、上バーコード１１Ｆ、下バーコード１１Ｇ、ＳＡＬＥ表示１１Ｈ、・・・などについての各データ入力窓３４に対応する符号５４をそれぞれ付すことにより、値札プリンター１の使用者がデータ入力の際にデータ入力画面３０のデータ入力窓３４と第３の図表３３Ａにおける各入力項目の対応を見やすくすることができる。
【００４９】
かくして、第１の印字サンプル帳票５１、第２の印字サンプル帳票５２および第３の印字サンプル帳票５３を、たとえばＡ４サイズの一枚の用紙としてそれぞれ印字することが可能となり、従来のように、値札プリンター１により印字した値札１１や卓上プリンター２１により印字したデータ入力画面３０を帳票用紙（第１の印字サンプル帳票原紙３１、第２の印字サンプル帳票原紙３２、第３の印字サンプル帳票原紙３３）にそれぞれ貼り付けるような手間を省略して帳票作成の作業性を向上させることができるとともに、フォーマット仕様データ、フォーマット位置データおよび画面仕様データから、第１の図表データ、第２の図表データおよび第３の図表データをそれぞれデータ編集するので、二度手間の入力操作による入力ミスを防止して正確性を確保することができる。
【図面の簡単な説明】
【００５０】
【図１】本発明の実施例によるプリンターにおける印字サンプル帳票作成方法を実行するための卓上プリンター４０の概略説明図である。
【図２】同、フォーマット仕様に関して第１の印字サンプル帳票５１を作成する手順を示すフローチャート図である。
【図３】同、第１の印字サンプル帳票５１の説明図である。
【図４】同、フォーマット位置に関して第２の印字サンプル帳票５２を作成する手順を示すフローチャート図である。
【図５】同、第２の印字サンプル帳票５２の説明図である。
【図６】同、データ入力画面３０に関して第３の印字サンプル帳票５３を作成する手順を示すフローチャート図である。
【図７】同、第３の印字サンプル帳票５３の説明図である。
【図８】従来の値札プリンター１の概略ブロック図である。
【図９】同、値札プリンター１により印字した値札１１の一例を示す平面図である。
【図１０】従来の卓上プリンター２１の概略ブロック図である。
【図１１】同、卓上プリンター２１により「フォーマット仕様書」として印字した第１の印字サンプル帳票原紙３１の一例を示す平面図である。
【図１２】同、卓上プリンター２１により「フォーマット位置書」として印字した第２の印字サンプル帳票原紙３２の一例を示す平面図である。
【図１３】同、表示部２６におけるデータ入力画面３０の一例を示す説明図である。
【図１４】同、卓上プリンター２１により「画面仕様書」として印字した第３の印字サンプル帳票原紙３３の一例を示す平面図である。
【符号の説明】
【００５１】
１  値札プリンター（従来、図８）
２  ＣＰＵ
３  ＲＯＭ
４  ＲＡＭ
５  入力部
６  表示部
７  印字部
８  インターフェース
９  データバス
１０  データ入力画面
１１  値札（図９）
１１Ａ  値札１１（あるいは印字サンプル４３）の発行月
１１Ｂ  値札１１（あるいは印字サンプル４３）の売場コード
１１Ｃ  値札１１（あるいは印字サンプル４３）の売価
１１Ｄ  値札１１（あるいは印字サンプル４３）の取引先コード
１１Ｅ  値札１１（あるいは印字サンプル４３）の取引先品番
１１Ｆ  値札１１（あるいは印字サンプル４３）の上バーコード
１１Ｇ  値札１１（あるいは印字サンプル４３）の下バーコード
１１Ｈ  値札１１（あるいは印字サンプル４３）のＳＡＬＥ表示
２１  卓上プリンター（従来、図１０）
２２  ＣＰＵ
２３  ＲＯＭ
２４  ＲＡＭ
２５  入力部
２６  表示部
２７  印字部
２８  インターフェース
２９  データバス
３０  データ入力画面（図１３）
３１  第１の印字サンプル帳票原紙（図１１）
３１Ａ  第１の印字サンプル帳票原紙３１（図１１）、あるいは第１の印字サンプル帳票５１（図３）における第１の図表
３１Ｂ  第１の印字サンプル帳票（値札１１および第１の印字サンプル帳票原紙３１）
３２  第２の印字サンプル帳票原紙（図１２）
３２Ａ  第２の印字サンプル帳票原紙３２（図１２）、あるいは第２の印字サンプル帳票５２（図５）における第２の図表
３２Ｂ  第２の印字サンプル帳票（値札１１および第２の印字サンプル帳票原紙３２）
３３  第３の印字サンプル帳票原紙（図１４）
３３Ａ  第３の印字サンプル帳票原紙３３（図１４）、あるいは第３の印字サンプル帳票５３（図７）における第３の図表
３３Ｂ  第３の印字サンプル帳票（値札１１および第３の印字サンプル帳票原紙３３）
３４  データ入力窓（図１３）
３５  発行ボタン
３６  プレビューボタン
３７  終了ボタン
４０  卓上プリンター（図１）
４１  記憶部
４２  値札作成ファイル
４３  印字サンプル（図３、図５）
５１  第１の印字サンプル帳票（図３）
５２  第２の印字サンプル帳票（図５）
５３  第３の印字サンプル帳票（図７）
５４  符号（図７）
【図１】
2008290431.tif 000003
【図２】
2008290431.tif 000004
【図３】
2008290431.tif 000005
【図４】
2008290431.tif 000006
【図５】
2008290431.tif 000007
【図６】
2008290431.tif 000008
【図７】
2008290431.tif 000009
【図８】
2008290431.tif 000010
【図９】
2008290431.tif 000011
【図１０】
2008290431.tif 000012
【図１１】
2008290431.tif 000013
【図１２】
2008290431.tif 000014
【図１３】
2008290431.tif 000015
【図１４】
2008290431.tif 000016